(57)【要約】      （修正有）【課題】比較的簡単な構成で、埃等の浮遊物を捕捉できる安価な浮遊物捕捉装置を提供する。【解決手段】空気中に配置した少なくとも１つの＋電極と、＋電極と交互に空気中に配置した少なくとも１つの−電極とを設けて、空気中に浮遊する浮遊物を捕捉し、また、少なくとも１つの単一極性の電極１０ａと、電極１０ａの周囲または隣接してイオン空間を形成するように電極と逆極性のイオンを発生する空間イオン発生装置９０とを設ける。【選択図】図２１
2008018340.tif 000002
【特許請求の範囲】
【請求項１】
空気中に配置した少なくとも１つの＋電極と、該＋電極と交互に空気中に配置した少なくとも１つの−電極と、を有し、空気中に浮遊する浮遊物を捕捉することを特徴とする浮遊物捕捉装置。
【請求項２】
請求項１記載の浮遊物捕捉装置において、前記＋電極および−電極には、絶縁体、粘着剤、絶縁体の第１層および粘着剤の第２層の組み合わせ、絶縁体の第１層、粘着剤の第２層および滅菌剤の第３層の組み合わせ、絶縁体の第１層および滅菌剤入りの粘着剤の第２層の組み合わせ、高抵抗体、導電性粘着剤、光触媒剤の内のいずれか１つが被覆されていることを特徴とする浮遊物捕捉装置。
【請求項３】
請求項１または２記載の浮遊物捕捉装置において、前記電極は棒状であることを特徴とする浮遊物捕捉装置。
【請求項４】
請求項１または２記載の浮遊物捕捉装置において、各電極の間隔を保持する絶縁体からなる保持手段をさらに有し、これにより網状またはスダレ状に形成されていることを特徴とする浮遊物捕捉装置。
【請求項５】
請求項４記載の浮遊物捕捉装置において、前記電極の下端に取付けられた錘をさらに有することを特徴とする浮遊物捕捉装置。
【請求項６】
請求項１または２記載の浮遊物捕捉装置において、前記電極を保持する枠をさらに有し、これによりフェンス状に形成されていることを特徴とする浮遊物捕捉装置。
【請求項７】
請求項１または２記載の浮遊物捕捉装置において、前記電極を内部に保持する絶縁体の保持手段をさらに有し、これにより板状に形成されていることを特徴とする浮遊物捕捉装置。
【請求項８】
請求項１または２記載の浮遊物捕捉装置において、前記電極を内部に保持する可撓性の絶縁体の保持手段をさらに有し、これによりシート状またはフィルム状に形成されていることを特徴とする浮遊物捕捉装置。
【請求項９】
請求項１〜８のいずれか１つに記載の浮遊物捕捉装置をクリーンルーム（作業場）に配置したことを特徴とするクリーンルーム。
【請求項１０】
請求項１〜８のいずれか１つに記載の浮遊物捕捉装置を塗料を吹き付けるワークに隣接して配置したことを特徴とする塗料ミスト捕捉装置。
【請求項１１】
請求項１〜８のいずれか１つに記載の浮遊物捕捉装置を金型に隣接して配置したことを特徴とする金型用防塵装置。
【請求項１２】
請求項１〜８のいずれか１つに記載の浮遊物捕捉装置を保管箱内部に配置したことを特徴とするクリーンボックス（無塵箱）。
【請求項１３】
請求項１〜８のいずれか１つに記載の浮遊物捕捉装置をクリーンベンチ間の部材受け渡し個所に配置したことを特徴とするクリーン環境間の部材受け渡し装置。
【請求項１４】
請求項１〜８のいずれか１つに記載の浮遊物捕捉装置を、人体に付着した埃を払うエアシャワーの入口および（または）出口に配置したことを特徴とするエアシャワー。
【請求項１５】
請求項１〜８のいずれか１つに記載の浮遊物捕捉装置を、クリーンルームへのパスボックスの入口および（または）出口に配置したことを特徴とするパスボックス。
【請求項１６】
請求項１〜８のいずれか１つに記載の浮遊物捕捉装置を、クリーンルームのドアのない入口および（または）出口に配置したことを特徴とするクリーンルーム。
【請求項１７】
請求項１〜８のいずれか１つに記載の浮遊物捕捉装置を、クリーンルームの境界面に配置に配置したことを特徴とする壁の無いクリーンルーム。
【請求項１８】
請求項１〜８のいずれか１つに記載の浮遊物捕捉装置を、浮遊物を濾過する空間に配置したことを特徴とする双方向性フィルタ。
【請求項１９】
請求項１〜８のいずれか１つに記載の浮遊物捕捉装置を、エアコンの風下に配置したことを特徴とするエアコン用浮遊物捕捉装置。
【請求項２０】
請求項１〜８のいずれか１つに記載の浮遊物捕捉装置に向けて微風をむけるようにエアブロー発生装置を配置したことを特徴とする浮遊物捕捉装置。
【請求項２１】
請求項１〜８のいずれか１つに記載の浮遊物捕捉装置を光学レンズの周囲に配置したことを特徴とするメンテナンスフリー光学レンズ装置。
【請求項２２】
少なくとも１つの単一極性の電極と、
該電極の周囲または隣接してイオン空間を形成するように前記電極と逆極性のイオンを発生する空間イオン発生装置と、
を有することを特徴とする浮遊物捕捉装置。
【請求項２３】
防塵空間を形成するように空間を包囲するように配置した単一極性の複数の電極と、
該複数の電極で形成した防塵空間を囲むイオン空間を形成するように前記電極と逆極性のイオンを発生する空間イオン発生装置と、
を有することを特徴とする浮遊物捕捉装置。
【請求項２４】
請求項２２記載の浮遊物捕捉装置の前記防塵空間内部に光学レンズを配置したことを特徴とするメンテナンスフリー光学レンズ装置。
【請求項２５】
請求項２２〜２４のいずれか１つに記載の浮遊物捕捉装置において、前記電極に付着した浮遊物を回収するために前記電極の極性を切替えることを特徴とする浮遊物捕捉装置。
【請求項２６】
空気中に配置した少なくとも１つの＋電極と、該＋電極と交互に空気中に配置した少なくとも１つの−電極と、
前記複数の電極を囲むイオン空間を形成するようにイオンを発生する空間イオン発生装置と、
該空間イオン発生装置が発生するイオンの極性を交互に切替える切替手段と、
を有することを特徴とする浮遊物捕捉装置。
【請求項２７】
請求項２２、請求項２３および請求項２６のいずれか１つに記載の浮遊物捕捉装置において、前記電極には、絶縁体、粘着剤、絶縁体の第１層および粘着剤の第２層の組み合わせ、絶縁体の第１層、粘着剤の第２層および滅菌剤の第３層の組み合わせ、絶縁体の第１層および滅菌剤入りの粘着剤の第２層の組み合わせ、高抵抗体、導電性粘着剤、光触媒剤の内のいずれか１つが被覆されていることを特徴とする浮遊物捕捉装置。
【請求項２８】
少なくとも１つの単一極性の電極と、
該電極の周囲または隣接してイオン空間を形成するように前記電極と同一極性のイオンを発生する空間イオン発生装置と、
を有することを特徴とする浮遊物反発装置。
【請求項２９】
防塵空間を形成するように空間を包囲するように配置した単一極性の複数の電極と、
該複数の電極で形成した防塵空間を囲むイオン空間を形成するように前記電極と同一極性のイオンを発生する空間イオン発生装置と、
を有することを特徴とする浮遊物反発装置。
【請求項３０】
請求項２９記載の浮遊物反発装置の前記防塵空間内部に光学レンズを配置したことを特徴とするメンテナンスフリー光学レンズ装置。
【請求項３１】
防塵対象物の周囲に浮遊物反発空間であるイオン空間を形成するように単一極性のイオンを発生する空間イオン発生装置を有することを特徴とする浮遊物反発装置。
【請求項３２】
請求項３１記載の浮遊物反発装置の前記浮遊物反発空間内に光学レンズを配置したことを特徴とするメンテナンスフリー光学レンズ装置。
【請求項３３】
防塵空間を形成するように空間を包囲するように配置した接地電極と、
該接地電極で形成した防塵空間を囲むイオン空間を形成するように単一極性のイオンを発生する空間イオン発生装置と、
を有することを特徴とする浮遊物反発装置。
【請求項３４】
請求項３３記載の浮遊物反発装置の前記浮遊物反発空間内に光学レンズを配置したことを特徴とするメンテナンスフリー光学レンズ装置。
【発明の詳細な説明】
【技術分野】
【０００１】
本発明は、防塵装置に関し、詳細には、埃、塵等の浮遊物を捕捉して防塵する浮遊物捕捉装置、および浮遊物を防塵対象物や防塵空間に近づけないようにして防塵する浮遊物反発装置に関する。
【背景技術】
【０００２】
従来例の浮遊物（埃、塵等）を捕捉する浮遊物捕捉装置（浮遊物が所定の領域に侵入しないように制御することを含まない）には下記の技術がある。
・  ＦＡＮ（ファン）で風（エアブロー）を送り、フィルタ（繊維）で濾過する方式
（２）ＦＡＮで風を送り、電界をかけて集塵する方式
（３）ＦＡＮで風を送り、電界をかけたフィルター（繊維）で濾過する方式
（４）ＦＡＮで風を送り、浮遊物をイオンで帯電させ電極で捕捉する方式
（５）粘着剤を塗布した網で、付着した浮遊物を捕捉する方式
等である。
【発明の開示】
【発明が解決しようとする課題】
【０００３】
粘着剤を用いる方式を除いて、いずれの方式もハウジング内にＦＡＮ等のエアブローを設け、それにより風を送り、浮遊物を集めるため、フィルタ（繊維）で濾したり、浮遊物をイオンで帯電させ、電圧を掛けた電極で捕捉することが中心であった。
【０００４】
従来例の（１）のＦＡＮで風を送りフィルター（繊維）で濾過する方式ではＦＡＮが風を起こすため埃対策としては逆に浮遊物を舞い上がらせるなど有害ですらあった。この方式では、必ず集塵装置（浮遊物捕捉装置）のハウジングの中に空気を取り入れ、これに含まれる埃（ホコリ）を捕捉する方式であった。そのため大きなものは不可能で、フィルター（繊維）の抵抗が大きいので風速も早くできず、処理能力は限られたものであった。例えば、広い空間の埃を全て捕捉するには長時間運転する必要があった。また密度の高いフィルター（繊維）に風を送るＦＡＮはかなりの風圧が必要で、消費電力が大きくなり、ランニングコストがかかるという問題もあった。
【０００５】
従来例の（２）のＦＡＮで風を送り、電界で集塵する方式を図３１に示す。この方式ではＦＡＮが風を起こすため、埃対策としては逆に浮遊物を舞い上がらせるなど有害ですらあった。この方式では、必ず集塵装置のハウジングの中に空気を取り入れ、これに含まれる埃を捕捉する方式であった。そのため大きなものは不可能であり、かつ静電引力で捕捉するため静かに風を送らねばならず、風速も早くできず、処理能力は限られたものであった。例えば、広い空間の埃を全て捕捉するにはかなり長時間運転する必要があった。
【０００６】
図３１に示す方式で用いている集塵装置をさらに詳細に説明すると、集塵装置（浮遊物捕捉装置）１は、ハウジング８を有し、ハウジング８の壁には、板状の電極１０、すなわち、電源２０から給電されて＋に帯電するように構成されている＋電極１０ａと、電源２０から給電されて−に帯電するように構成されている−電極１０ｂが対向状態で並置されて設けられている。そして、矢印１４で方向を示すように、電気力線１４は＋電極１０ａから出て−電極１０ｂで終わっている。ハウジング８内で＋電極１０ａと−電極１０ｂの下流には、ファン２２が配置されており、矢印１８で示すように上流から下流にエアブローを送るようになっている。集塵装置の上流側には、埃１２（＋に帯電した＋帯電埃１２ａ、−に帯電した−帯電埃１２ｂ、および帯電してない無帯電埃１２ｃ）が存在するものとする。
【０００７】
今、ファン２２を作動させると、上流の埃１２は、矢印１６に示すように、ハウジング８に向かって吸引され、＋と−の電極１０ａ、１０ｂの間を通って下流に移動させられる。このとき、帯電埃１２ａ、１２ｂは、それぞれ反対極性の電極に静電引力で捕捉されるが、無帯電埃１２ｃは捕捉されることなく、集塵装置の下流に運ばれる。
【０００８】
従来例の（３）のＦＡＮで風を送り電界をかけたフィルタ（繊維）で濾過する方式を図３２に示す。この方式ではＦＡＮが風を起こすため、埃対策としては逆に浮遊物を舞い上がらせるなど有害ですらあった。また、必ず集塵装置のハウジングの中に空気を取り入れ、これに含まれる埃を捕捉する方式であった。そのため大きなものは不可能で、フィルタ（繊維）を通すため抵抗も大きく風速も早くできず、処理能力は限られたものであった。例えば広い空間の埃を全て捕捉するには長時間運転する必要があった。
【０００９】
また、フィルタは単純な繊維と違い電極付であるため高価であり、交換によるランニングコストがかかった。また、密度の高いフィルター（繊維）に風を送るＥＡＮはかなりの風圧が必要であり、消費電力が大きくなり、この点からもランニングコストがかかるという問題もあった。
【００１０】
図３２に示す方式で用いている集塵装置をさらに詳細に説明すると、集塵装置１は、ハウジング８を有し、ハウジング８内には、フィルタ（繊維）２４の中に設けられたメッシュ状の高電圧電極１０（この例では、＋電極１０ａ）と、この電極１０と対向して接地電極１０ｃが繊維の表面に設けられている。ハウジング８内でこの電極付繊維２４の下流にはファン２２が配置されて、矢印１８で示すように上流から下流にエアブローを送るようになっている。
【００１１】
今、ファン２２を作動させると、上流の埃１２は、矢印１６に示すように、ハウジング８内に吸引され、埃１２を含むエアが電極付繊維２４を通されることになるが、帯電埃は、分極した繊維と電極によって捕捉され、無帯電埃は繊維によって捕捉される。
【００１２】
従来例の（４）のＦＡＮで風を送り、埃等の浮遊物をイオンで帯電させ電極で捕捉する方式を図３３に示す。この方式ではＦＡＮが風を起こすため、埃対策としては逆に浮遊物を舞い上がらせるなど有害ですらあった。また、必ず集塵装置のハウジングの中に空気を取り入れ、これに含まれる埃を捕捉する方式であった。そのため大きなものは不可能で、かつ静電引力で捕捉するため静かに風を送らねばならず、大量の空気を流すことはできず、処理能力は限られたものであった。例えば広い空間の埃を全て捕捉するにはかなり長時間運転する必要があった。
【００１３】
図３３に示す方式で用いている集塵装置をさらに詳細に説明すると、集塵装置１は、ハウジング８を有し、ハウジング８の壁には、接地された、または電源２０から給電される筒状（面状）の電極１０（この例では、＋電極１０ａ）が対向して配置されている。ハウジング８内で、電極１０の上流には電源２０から給電される放電針２６が上流に向かって−イオン２８ｂを放射するように設けられており、また、電極１０の下流にはファン２２が配置されて、矢印１８で示すように上流から下流にエアブローを送るようになっている。
【００１４】
今、ファン２２を作動させると、上流の埃１２は、矢印１６に示すように、ハウジング８内に吸引され、ハウジング内で−イオン２８ｂによって−に帯電されて−帯電埃１２ｂとなるので、接地電極１０ｃまたは＋電極１０ａに静電力によって吸引されて電極１０ｃまたは１０ａに捕捉される。
【００１５】
従来例の（５）の粘着剤を塗布した網で付着した浮遊物を捕捉する方式では、浮遊物が付着したらそのまま捕捉するという機能のため、網を構成する細い糸に偶然付着してくれるのが前提になっており、他の方式のように強制的に捕捉するのと違い捕捉効率が極端に悪かった。
【００１６】
したがって、本発明の目的は、比較的簡単な構成で、埃等の浮遊物を捕捉できる安価な浮遊物捕捉装置を提供することにある。
【００１７】
また、本発明の他の目的は、比較的簡単な構成で、埃等の浮遊物を反発できる安価な浮遊物反発装置を提供することにある。
【課題を解決するための手段】
【００１８】
前述の目的を達成するために、本発明の浮遊物捕捉装置は、空気中に配置した少なくとも１つの＋電極と、該＋電極と交互に空気中に配置した少なくとも１つの−電極と、を有し、空気中に浮遊する浮遊物を捕捉することを特徴とする。前記＋電極および−電極には、絶縁体、粘着剤、絶縁体の第１層および粘着剤の第２層の組み合わせ、絶縁体の第１層、粘着剤の第２層および滅菌剤の第３層の組み合わせ、滅菌剤入りの粘着剤、高抵抗体、導電性粘着剤、光触媒剤の内のいずれか１つが被覆されていることが好ましい。
【００１９】
また、本発明の浮遊物捕捉装置は、少なくとも１つの単一極性の電極と、該電極の周囲または隣接してイオン空間を形成するように前記電極と逆極性のイオンを発生する空間イオン発生装置と、を有することを特徴とする。
【００２０】
また、本発明の浮遊物捕捉装置は、防塵空間を形成するように空間を包囲するように配置した単一極性の複数の電極と、該複数の電極で形成した防塵空間を囲むイオン空間を形成するように前記電極と逆極性のイオンを発生する空間イオン発生装置と、を有することを特徴とする。
【００２１】
また、本発明の浮遊物捕捉装置は、回収時に前記電極の極性を切替える切替手段を有することを特徴とする。
【００２２】
また、本発明の浮遊物捕捉装置は、空気中に配置した少なくとも１つの＋電極と、該＋電極と交互に空気中に配置した少なくとも１つの−電極と、前記複数の電極を囲むイオン空間を形成するようにイオンを発生する空間イオン発生装置と、該空間イオン発生装置が発生するイオンの極性を交互に切替える切替手段と、を有することを特徴とする。
【００２３】
また、本発明の浮遊物反発装置は、少なくとも１つの単一極性の電極と、該電極の周囲または隣接してイオン空間を形成するように前記電極と同一極性のイオンを発生する空間イオン発生装置と、を有することを特徴とする。
【００２４】
また、本発明の浮遊物反発装置は、防塵空間を形成するように空間を包囲するように配置した単一極性の複数の電極と、該複数の電極で形成した防塵空間を囲むイオン空間を形成するように前記電極と同一極性のイオンを発生する空間イオン発生装置と、を有することを特徴とする。
【００２５】
また、本発明の浮遊物反発装置は、防塵対象物の周囲に浮遊物反発空間であるイオン空間を形成するように単一極性のイオンを発生する空間イオン発生装置を有することを特徴とする。
【００２６】
また、本発明の浮遊物反発装置は、防塵空間を形成するように空間を包囲するように配置した接地電極と、該接地電極で形成した防塵空間を囲むイオン空間を形成するように単一極性のイオンを発生する空間イオン発生装置と、を有することを特徴とする。
【発明の効果】
【００２７】
従来は必ずＦＡＮを用いて空気をハウジングの中に取り入れ、除塵していた。そのため浮遊する埃を集塵するために時間がかかり、例えば一般的な工場でも計算上数日かかる                            というように、実用に耐えるものではなかった。またＦＡＮが風を起こすため、埃を巻き上げ環境を乱し、かえって埃による不良を増やすとい問題もあった。
【００２８】
これに対して、本発明では、ＦＡＮを用いず無風で（一部微風を使うケースを除いて）、電界および／またはイオンを用い、浮遊物を吸引して捕捉し、または反発し、または無塵空間を作り、防塵できる浮遊物捕捉装置、または浮遊物反発装置が得られる。集塵能力は面積を広めればいくらでも上げることができ、無風であるので埃不良を助長することもない。
【００２９】
また、本発明の小型な装置を複写機等の内部に用いれば、レンズ等の埃を嫌う光学系でも、埃から守ることができ、メンテナンスフリーの装置に改良できる。しかも消費電力は電界をかけるだけなので、微々たる物でランニングコストはほとんどかからない。従来は不可能であった、浮遊物の制御が可能になった。また、このような特殊環境下でも無風で防塵でき、埃不良を助長することなく防塵できる。
【発明を実施するための最良の形態】
【００３０】
本発明の浮遊物捕捉装置は、空気中に配置した少なくとも１つの＋電極と、該＋電極と交互に空気中に配置した少なくとも１つの−電極と、を有する。
【００３１】
また、本発明の浮遊物捕捉装置は、少なくとも１つの単一極性の電極と、該電極の周囲または隣接してイオン空間を形成するように前記電極と逆極性のイオンを発生する空間イオン発生装置と、を有する。
【００３２】
また、本発明の浮遊物捕捉装置は、防塵空間を形成するように空間を包囲するように配置した単一極性の複数の電極と、該複数の電極で形成した防塵空間を囲むイオン空間を形成するように前記電極と逆極性のイオンを発生する空間イオン発生装置と、を有する。
【００３３】
また、本発明の浮遊物捕捉装置は、空気中に配置した少なくとも１つの＋電極と、該＋電極と交互に空気中に配置した少なくとも１つの−電極と、前記複数の電極を囲むイオン空間を形成するようにイオンを発生する空間イオン発生装置と、該空間イオン発生装置が発生するイオンの極性を交互に切替える切替手段と、を有する。
【００３４】
また、本発明の浮遊物反発装置は、少なくとも１つの単一極性の電極と、該電極の周囲または隣接してイオン空間を形成するように前記電極と同一極性のイオンを発生する空間イオン発生装置と、を有する。
【００３５】
また、本発明の浮遊物反発装置は、防塵空間を形成するように空間を包囲するように配置した単一極性の複数の電極と、該複数の電極で形成した防塵空間を囲むイオン空間を形成するように前記電極と同一極性のイオンを発生する空間イオン発生装置と、を有する。
【００３６】
また、本発明の浮遊物反発装置は、防塵対象物の周囲に浮遊物反発空間であるイオン空間を形成するように単一極性のイオンを発生する空間イオン発生装置を有する。
【００３７】
また、本発明の浮遊物反発装置は、防塵空間を形成するように空間を包囲するように配置した接地電極と、該接地電極で形成した防塵空間を囲むイオン空間を形成するように単一極性のイオンを発生する空間イオン発生装置と、を有する。
（実施例１）
実施例１は基本的な（原理的な）構成の（プロトタイプの）浮遊物捕捉装置に関するものである。 図１は実施例１の基本的な構成の（プロトタイプの）浮遊物捕捉装置を示す図であり、図１ａは埃を捕捉する前の状態を示し、図１ｂは埃を捕捉する過程を示す。図１ａにおいて、浮遊物捕捉装置１は、空気中に、棒状の＋電極１０ａと−電極１０ｂが交互に所定の間隔を空けて配置されている構成である。
【００３８】
図１ａに示すように、＋帯電埃１２ａは埃から出る電気力線を有し、−帯電埃１２ｂは埃に入る電気力線を有する。また、浮遊物捕捉装置１では、＋電極１０ａから出て−電極１０ｂに入る閉じた電気力線がある。＋の電荷から出た電気力線が−の電荷に入る電気力線と連結すると両電荷の間に引力が発生する。また、＋の電荷から出た電気力線が＋の電荷と出会うと反発し、両電荷間に斥力が生じる。また、−の電荷に入る電気力線が−の電荷と出会うとお互いに反発し、両電荷間に斥力が生じる。図１ａに示す状態では、＋帯電埃１２ａと−帯電埃１２ｂが＋電極１０ａ、−電極１０ｂのいずれからも十分離れており、＋帯電埃１２ａと−帯電埃１２ｂは＋電極１０ａ、−電極１０ｂのいずれからも影響を受けない。
【００３９】
今、矢印１６に示すように、＋帯電埃１２ａが電極１０に十分近づいてくると、＋帯電埃１２ａの＋電荷から出ている電気力線と−電極１０ｂに入り込んでいる電気力線が連結し両電荷間に引力が発生し、＋帯電埃１２ａは一電極１０ｂに引き付けられ捕捉される。
同様に、−帯電埃１２ｂが電極１０に十分に近づいてくると、−帯電埃１２ｂの−電荷に入り込んでいる電気力線と＋電極１０ａから出ている電気力線が連結し両電荷間に引力が発生し、−帯電埃１２ｂは＋電極１０ａに引き付けられ捕捉される。
【００４０】
このようにして、浮遊する埃１２は電極１０に捕らえられ、風のみが通り抜けるので、風上は不浄域でも風下は清浄域にすることができる。また風の無い静かな雰囲気でも周囲の浮遊物を電界で強制的に捕捉するので、広域に亘り、清浄な環境を実現できる。自らファンを積極的に用いないので風を巻き上げることも無く、埃による製品等の不良発生を抑えることができる。
（実施例２）
実施例２は実施例１のプロトタイプの浮遊物捕捉装置の具体例の１つに関するものである。図２は、実施例２の浮遊物捕捉装置を示す図であり、図２ａはその正面図であり、図２ｂはその側面図である。図２において、この浮遊物捕捉装置１は捕塵ネット（網）として構成されている。網１は＋電極１０ａと−電極１０ｂである縦糸と、絶縁体３２の紐である横糸によって編まれている。なお、電極１０は絶縁体で被覆されていても良い。電極１０には電源２０から給電部３０を介して電圧が供給されている。
【００４１】
実施例１で説明した原理によって浮遊物は自分と逆極性の電極に吸着される。浮遊物は帯電量の大小はあれ、通常は帯電している。完全に０ということは偶然にはありうることではあるが稀である。帯電が０の浮遊物でも気中で衝突やら接触を繰り返しながら浮遊しているうちに、直ぐにまた帯電し、０の状態は失われてしまう。この結果、いずれ電極に捕捉される。浮遊する埃は電極に捕らえられ、風のみが通り抜けるので、風上は不浄域でも風下は清浄域にすることができる。また風の無い静かな雰囲気でも周囲の浮遊物を電界で強制的に補足するので、広域に亘り、清浄な環境を実現できる。自らファンを積極的に用いないので風を巻き上げることも無く、埃による不良発生を抑えることができる。
（実施例３）
実施例３は実施例１のプロトタイプの浮遊物捕捉装置の具体例の他の１つに関するものである。図３は、実施例３の浮遊物捕捉装置を示す図であり、図３ａはその正面図であり、図３ｂはその側面図である。図３において、この浮遊物捕捉装置１は捕塵スダレとして構成されている。スダレ１は縦糸が＋電極１０ａと−電極１０ｂであり、横糸は無いがところどころ絶縁体のスペーサ３４で電極の間の横方向の間隔を維持している。また、錘３６が電極の下端に設けられている。＋と−の電極はお互いに引き合いくっつくのでそれを防止する働きとスダレをまっすぐ伸ばし、風等の外乱に左右されなくする錘の働きを持つ。電極は絶縁体で被覆されていても良い。電極には給電部より電圧が供給され、給電部には電源（図示せず）から電圧が供給されている。浮遊物は自分と逆極性の電極に吸着される。
【００４２】
このようにして、浮遊する埃は電極に捕らえられ、風のみが通り抜けるので、風上は不浄域でも風下は清浄域にすることができる。また風の無い静かな雰囲気でも周囲の浮遊物を電界で強制的に捕捉するので、広域に亘り、清浄な環境を実現できる。自らファンを積極的に用いないので風を巻き上げることも無く、埃による製品等の不良発生を抑えることができる。
（実施例４）
実施例４は実施例１のプロトタイプの浮遊物捕捉装置の具体例のさらに他の１つに関するものである。図４は実施例４の浮遊物捕捉装置を示す斜視図である。図５は実施例４の浮遊物捕捉装置を示す図（図示の便宜上、図４で示す枠の側部は省略してある）であり、図５ａはその正面図であり、図５ｂはその側面図であり、図５ｃはその平面図である。図４、図５において、この浮遊物捕捉装置１は捕塵フェンスとして構成されている。捕塵フェンス１は絶縁体の枠３８の中に格子状の電極があり、＋電極１０ａと−電極１０ｂが交互に配置されている。電極１０は導体のままでも良いが絶縁被覆されているのが好ましい。捕塵フェンス１は自立させて用いることがあり、スタンド（足）４０が設けられてもよい。
【００４３】
浮遊する埃は捕塵フェンス１に捕らえられ、風（エアブロー）１８のみが通り抜けるので、風上は不浄域でも風下は清浄域にすることができる。また風の無い静かな雰囲気でも周囲の浮遊物を電界で強制的に捕捉するので、広域に亘り、清浄な環境を実現でき、埃等の付着による製品等の不良の発生を抑えることができる。
（実施例５）
実施例５は実施例１のプロトタイプの浮遊物捕捉装置の具体例のさらに他の１つに関するものである。図６は実施例５の浮遊物捕捉装置を示す図であり、図６ａはその正面図であり、図６ｂはその側面図であり、図６ｃは図６ａのＡ−Ａ断面図である。図６において、この浮遊物捕捉装置１は捕塵板として構成されている。捕塵板１は絶縁体の板４２の中に格子状の電極があり、＋電極１０ａと−電極１０ｂが交互に配置されている。電極１０は導体がむき出しでも良いが絶縁被覆されているのが好ましい。浮遊する埃は板４２から出る電界に捕らえられ、板４２に付着するので、板４２の面積に比例して広域に亘り、清浄な環境を実現でき、埃等の付着による製品等の不良の発生を抑えることができる。
（実施例６）
実施例６は実施例１のプロトタイプの浮遊物捕捉装置の具体例のさらに他の１つに関するものである。図７は実施例６の浮遊物捕捉装置を示す図であり、図７ａはその平面図であり、図７ｂはその正面図であり、図７ｃはその側面図であり、図７ｄは図７ｂのＡ−Ａ断面図である。図７において、この浮遊物捕捉装置１は捕塵シート（またはフィルム）として構成されている。捕塵シート（フィルム）１は可撓性の絶縁体の薄いシート（すなわち、フィルム）４４中に格子状の電極があり、＋電極１０ａと−電極１０ｂが交互に配置されている。電極は導体がむき出しでも良いが絶縁被覆されているのが好ましい。浮遊する埃はシートまたはフィルムから出る電界に捕らえられ、シートまたはフィルムに付着するので、シートまたはフィルムの面積に比例して広域に亘り、清浄な環境を実現でき、埃等の付着による不良の発生を抑えることができる。
（実施例７）
実施例７は、好ましくは、実施例５、実施例６の板、シート（フィルム）から成る浮遊物捕捉装置の使用例に関するものである。図８は、実施例５、実施例６の浮遊物捕捉装置の使用例を説明するための図であり、図８ａは第１の使用例の平面図であり、図８ｂは第２の使用例の斜視図である。図８ａにおいて、複数の（この実施例では、４つの）浮遊物捕捉装置１が作業場４６を囲む壁に取付けられている。これにより、作業場の中に浮遊する埃を吸着し、清浄環境を作り維持する。図８ｂにおいて、２つの浮遊物捕捉装置１が衝立４８に取付けられている。衝立４８は作業場等の任意の適切な位置に設置される。これにより、作業場の近辺に浮遊する埃を吸着し、清浄環境を作り維持する。
（実施例８）
実施例８は、好ましくは、実施例１、実施例２のプロトタイプ、捕塵ネットを用いた塗料ミスト捕捉装置（浮遊物捕捉装置）の使用例に関するものである。図９は、実施例１、実施例２のプロトタイプ、捕塵ネットを用いた塗料ミスト捕捉装置（浮遊物捕捉装置）の使用例を説明するための図であり、図９ａは本発明の塗料ミスト捕捉装置を説明するための図であり、図９ｂは本発明の塗料ミスト捕捉装置を設けない従来例の問題を説明するための図である。
【００４４】
図９ｂにおいて、塗装用スプレーガン５０で塗料５４（白丸で示す）をワーク５２に吹き付けると、ワーク５２に塗られる塗料（塗料粒子）５４の他に周囲に飛散する霧状の塗料（塗料ミスト）５６（黒丸で示す）が現れる。塗装工場では通常、上の方からフィルタ（図示せず）によって濾された清浄空気がダウンフロー１８として流れている。したがって、飛散した塗料ミスト５６の内、下方に飛んだ塗料ミスト５６はそのまま下の方に流れ回収されていくが、上方に飛んだ塗料ミスト５６はダウンフロー１８により再降下してくる。再降下してくる塗料ミスト５６は時間の経過と共に硬化を始め、半硬化状態になってワーク５２に付着する。これが塗装面に異物として載り、凹凸を作るため不良になる。
【００４５】
一方、図９ａに示すように、本発明では、＋電極１０ａ、−電極１０ｂから成る塗料ミス卜捕捉装置１が上方に舞い上がった塗料ミスト５６を捕捉する。塗装用スプレーガン５０で塗料５４を吹き付ける場合、塗料粒子５４は塗装用スプレーガン５０のノズルから飛び出すとき、静電気を帯びる。静電気を帯びた塗料ミスト５６は塗料ミスト捕捉装置１の発する電界に引っかかり、捕捉される。したがって再降下する塗料ミスト５６が減少し、塗装不良が減る。従来はこの問題は不可避な問題として工場の現場ではあきらめられていたが、本発明で初めて解決されたものである。
（実施例９）
実施例９は、好ましくは、実施例１、実施例２のプロトタイプ、捕塵ネットを用いた金型用防塵装置（浮遊物捕捉装置）の使用例に関するものである。図１０は実施例１、実施例２のプロトタイプ、捕塵ネットを用いた金型用防塵装置（浮遊物捕捉装置）を説明するための図であり、図１０ａは、本発明の金型用防塵装置の斜視図であり、図１０ｂは本発明の金型用防塵装置の断面図であり、図１０ｃは本発明の金型用防塵装置を設けない場合の従来例の問題を説明するための断面図であり、図１０ｄは本発明の金型用防塵装置を設けない場合の従来例の問題を説明するための断面図である。
【００４６】
図１０ｃに示すように、金型５８、６０を閉じた状態で成型をしている。成型終了後、図１０ｄに示すように金型５８、６０を開く時、周囲から流れ込む風に乗って、浮遊する挨１２が金型内部に流入する。金型５８、６０に付着した埃は次回の成型サイクルで製品に鋳込まれて不良を発生させる。なお、符号６２はマシンを示す。
【００４７】
一方、図１０ａ、図１０ｂに示すように、本発明では、金型５８、６０の周囲に、＋電極１０ａ、−電極１０ｂからなる金型用防塵装置（浮遊物捕捉装置）が配置されている。このため、金型５８、６０を開けるとき周囲から流れ込む風に乗って、金型５８、６０内                                                                部に流入しようとする埃１２を本発明の金型用防塵装置１が捕捉する。このようにして不良発生を抑えることができる。
（実施例１０）
実施例１０は、好ましくは、実施例５、実施例６の板、シート（フィルム）から成る浮遊物捕捉装置の使用例に関するものである。図１１は実施例５、実施例６の板、シート（フィルム）から成る浮遊物捕捉装置を用いた保管箱（クリーンボックス）を説明するための図であり、図１１ａは平面図であり，図１１ｂは正面図であり、図１１ｃは側面図であり、図１１ｄは図１１ｃの線Ａ−Ａにおける断面図である。
【００４８】
保管箱６４には、＋電極１０ａ、−電極１０ｂから成る浮遊物捕捉装置１がその内側の周囲に配置されている。外部に浮遊する浮遊物１２が保管箱６４の内部に侵入したとしても電極１０ａ、１０ｂから発せられる電気力線に捕まり、電極１０ａ、１０ｂに吸引、捕捉されて保管物６６には付着しない。したがって、保管箱６４の内部では浮遊する埃１２が無いクリーンボックス（無塵箱）６４ができる。
（実施例１１）
実施例１１は、好ましくは、実施例５、実施例６の板、シート（フィルム）から成る浮遊物捕捉装置の使用例（浮遊物捕捉システム）に関するものである。図１２は実施例１１の浮遊物捕捉システムを示す概略図である。図１２において、浮遊物捕捉システム５では、クリーン環境間（例えば、クリーンベンチ）６８、６８間の部材７０の受け渡しの際に浮遊物を捕捉する浮遊物捕捉装置１が設けられている。
【００４９】
クリーンベンチ６８、６８間で部材７０を受け渡すためドア（図示せず）を開けると、風が流れ浮遊する埃１２がクリ−ンベンチ間で移動する。埃１２が流入する側ではクリーン度が下がり不良が発生してしまう。そこで、浮遊物捕捉装置１を受け渡し装置の内側周囲に配置すれば、クリーンベンチ間に流れる双方向の風に含まれる埃は内壁の浮遊物捕捉装置１に設けられた電極（図示せず）に捕捉され、清浄な風になり、流入される側のクリーンベンチ６８、６８も汚染されることは回避でき、不良の発生が防止できる。従来のドア式では、クリーン環境間の部材受け渡し時に埃も流入することを防ぐことはできなかった。
（実施例１２）
実施例１２は、好ましくは、実施例５、実施例６の板、シート（フィルム）から成る浮遊物捕捉装置の使用例（エアシャワー：浮遊物捕捉システム）に関するものである。図１３は実施例１２の浮遊物捕捉システムを示す概略図である。図１３において、ドアのないエアシャワー７２の入口および出口の両側の壁には浮遊物捕捉装置１が設けられている。その中央部に外部からエアをフィルタ７６付きファン７４で取り入れて人体に吹き付けて人体の埃払いをする部分がある。この出入り口にはドアが無く、開閉することなく人体は自由に出入りできる。それでも払った埃等がエアシャワー７２の外部に出ようとする場合や外部からとのエアシャワー内に埃が入ろうとする場合、出入り口に配置してある浮遊物捕捉装置１が埃を捕捉するので埃は通過できない。このようにドアの開閉を伴わないエアシャワーができる。
【００５０】
実際には何千人もの工揚作業者が毎朝晩、エアシャワーを２回以上通るため、ドアの開閉回数は年間１０万回にも達し、ドアの耐久性の問題が出ている。エアブローする本来の機能以前の出入り口ドアが故障し、大勢の従業員が出入りできなくなり、操業上の                                      問題になるケースが頻発している。本発明では、ドアの無い出入り口が実現できたので故障の無い、埃は通さず人だけ通す画期的なエアシャワーが実現できた。
（実施例１３）
実施例１３は、好ましくは、実施例５、実施例６の板、シート（フィルム）から成る浮遊物捕捉装置の使用例（パスボックス：浮遊物捕捉システム）に関するものである。図１４は実施例１３の浮遊物捕捉システムを示す概略図である。図１４において、パスボックス（クリーン環境への部材搬入箱）７８には、搬入する部材７０の埃１２を払うため、フィルタ７６付きファン７４によるエアブローと集塵を行う中央部に対し、その前後の出入り口の両側に浮遊物捕捉装置１が設けられており、クリーンルーム８０に侵入する埃を捕捉する。搬入時、開閉するドアが無くても埃の侵入がない。
（実施例１４）
実施例１４は、好ましくは、実施例５、実施例６の板、シート（フィルム）から成る浮遊物捕捉装置の使用例（クリーンルーム：浮遊物捕捉システム）に関するものである。図１５は実施例１４の浮遊物捕捉システムを示す概略図である。図１５において、ドアレス出入り口を持つクリーンルーム８０には、浮遊物捕捉装置１が出入り口の両側に配置されている。外部からクリーンルーム８０に侵入しようとする埃は電極に吸引され捕捉される。したがって、部材と多少の風は通過できるが、浮遊する埃は通過できない。
（実施例１５）
実施例１５は、実施例７の作業場に浮遊物捕捉装置を設置したのに代えて、浮遊物捕捉装置がクリーンルームの周囲または／および内部に配置されたものに関するである（図示せず）。内部に浮かぶ埃は浮遊物捕捉装置に捕捉され、埃の無いクリーンルームができる。
【００５１】
従来のクリーンルームは、外部から埃が入らないように、天井のＨＥＰＡフィルタで濾過し、内部の人体や部材が発する埃はダウンフローにより下方に吹き降ろし、床                                        または下部の壁に設けられた集塵口から回収している。本発明を用いれば、ＨＥＰＡフィルタやダウンフローの有無にかかわらず、クリーシルームの内部で外部から進入した埃や自分自身が発する埃を全くの無風状態で捕捉、回収するので、より積極的な浄化が行える。しかも設備費用は極めて安くできる。
（実施例１６）
実施例１６は、好ましくは、実施例１、実施例２、実施例３のプロトタイプ、捕塵ネット、捕塵スダレを用いた浮遊物捕捉システム（壁のないクリーンルーム）に関するものである。図１６は実施例１、実施例２、実施例３のプロトタイプ、捕塵ネット、捕塵スダレを用いた浮遊物捕捉システム（壁のないクリーンルーム）の概略図を示す。図１６において、空間の周囲に浮遊物捕捉装置１をめぐらし、外部から侵入する埃を捕捉し、内部に浮遊する埃を捕捉するので、内部は埃の無いクリーンルーム８０が形成されることになる。即ち、周囲に壁のないクリーンルーム８０ができる。このクリーンルーム８０では風は外部と自由に行き来できる。例えば、温度、湿度コントロールは外部と共通で、埃だけ無い空間を実現できる。したがって設備費や運転費が従来のクリーンルームに比べ非常に経済的である。
（実施例１７）
実施例１７は実施例１〜６の浮遊物捕捉装置を用いた浮遊物捕捉システム（双方向性フィルタ）に関するものである。図１７は実施例１７の浮遊物捕捉システムを説明するための図であり、図１７ａは実施例の電気式の双方向性フィルタの断面図であり、図１７ｂは従来例の物理的フィルタの断面図であり、図１７ｃは従来例の物理的フィルタの断面図である。
【００５２】
図１７ｂ、図１７ｃに示すように、従来の物理的フィルタ７６は単方向性で一方向にしか空気を濾過できない。逆方向に風が流れると一旦集塵した埃１２が剥がれ再飛散することになる。また前述したように風のみ通過できるが物体は通過できない。
【００５３】
これに対して、本発明の双方向性フィルタ８２では、図１７ａに示すように、風の通過できる空洞８４があり、その周囲に浮遊物捕捉装置１をめぐらしてある浮遊物捕捉システムである。風が通過する時、含まれる埃１２を捕捉し、清浄な空気のみが通過する。風は双方向に有効であるため双方向性フィルタを構成する。このため、双方向性の濾過機能を持つことと、物理的なフィルタが無いため、自由に物体が通過できることである。
（実施例１８）
実施例１８はエアコンの吹き出し口に応用した浮遊物捕捉装置に関する。図１８は実施例１８をエアコンに応用した浮遊物捕捉装置を説明するための図である。図１８において、天井に取付けられたエアコン１０２の噴出し口（風下）に電極１０が並べられた浮遊物捕捉装置が配置されている。通常、エアコンの吹き出し口周辺は、黒く汚れているが、これは埃の一部が付着したものであり、全体では相当量の埃が出て空間にばら撒かれている。この埃を集塵する。
（実施例１９）
実施例１９は、好ましくは、実施例１〜３の浮遊物捕捉装置と組み合わせて用いることができる浮遊物捕捉システムに関するものである。図１９は実施例１９の浮遊物捕捉システムの概略斜視図である。図１８に示すように、浮遊物捕捉装置１の前部または後部にファン２２等の微風発生装置を配し、風を送ることにより、より強力に空間の浮遊物を捕捉する。この場合、電極から出る電気力線の他に微風で風を送るためより積極的に埃を捕捉できるが、風を送ることによる風の巻き上げ等の問題もある。逆に堆積している埃も巻き上げて回収してしまう目的には適合できる。
（実施例２０）
実施例２０は浮遊物捕捉装置を組み込んだメンテナンスフリー光学レンズ装置に関するものである。図２０は実施例２０のメンテナンスフリー光学レンズ装置の斜視図である。光学レンズ８６の周囲を遊物捕捉装置１の電極１０を保持した電極保持具８８で覆い、外部から侵入する埃を電極で捕捉する。光学レンズ８６には埃が付着せず埃払いが不要で長期に亘りメンテナンスが不要となる。
（実施例２１）
実施例２１は、単一極性の電極（＋電極または−電極）と、電極と逆極性の空間イオン発生装置を用いた浮遊物捕捉装置に関するものである。図２１は実施例２１の単一極性の電極（＋電極または−電極）と、電極と逆極性のイオン発生装置を用いた基本構成の（プロトタイプの）浮遊物捕捉装置を説明するための図である。
【００５４】
浮遊物捕捉装置１は、少なくとも１つの単一極性の電極（＋または−の電極）（この実施例では、＋電極１０ａ）と、該電極の極牲と逆極性の空気イオン発生装置（この実施例では−イオン２８ｂの発生装置）とから成る。電極の周囲または近傍に空気イオンを浮遊させるように、空間イオン発生装置がイオンを放出する。この浮遊物捕捉装置では、ファン等のエアブロー発生装置を使用せずに、気中に浮遊する浮遊物を捕捉するものである。
【００５５】
図２１に示すように、例えば電極に＋の電圧を掛け＋電極１０ａにし、その周囲を空間イオン発生装置９０によって発生した−イオン２８ｂで覆う。もともと−帯電埃１２ｂ以外の浮遊する埃（＋帯電埃１２ａ、無帯電埃１２ｃ）は−イオン２８ｂで−に帯電させられる。＋の電極からは電気力線が出ているので−に帯電した埃１２ｂはこれに捕まり、吸引され捕捉される。浮遊する埃は＋や−に帯電していたり、または帯電量が少なかったり、０であったり、いろいろな場合がありうるが、ある極性のイオンで覆うことにより、全ての埃を強制的にその極性に帯電させ、そして逆極性の電極で吸引、捕捉する。帯電量の少ない埃もより確実に捕捉できる。
（実施例２２）
実施例２２は、単一極性の電極（＋電極または−電極）と、電極と逆極性の空間イオン発生装置を用いた他の実施例の防塵空間装置（浮遊物捕捉装置）に関するものである。図２２は実施例２２の単一極性の電極（＋電極または−電極）と、電極と逆極性のイオン発生装置を用いた防塵空間装置を説明するための図である。
【００５６】
図２２において、防塵空間装置（浮遊物捕捉装置）１は、内部に防塵空間９４を設けるようにその空間を囲むように配置した単一極性の電極（この実施例では、−電極１０ｂ）と、その防塵空間９４を囲むイオン空間９２を形成するように、電極と逆極性のイオン（この実施例では＋イオン２８ａ）を発生する空間イオン発生装置９０から成る。
【００５７】
図２２に示すように、−電圧を印加された電極１０ｂが囲む防塵空間９４とその周囲を空間イオン発生装置９０で＋イオン２８ａで覆う。このイオン空間９２にある埃や外部から侵入する埃は＋イオンにより＋帯電するので、−電圧を印加されている電極に吸引され捕捉される。そのため、内部には埃の無い、即ち埃の付かない防塵空間９４が形成される。
（実施例２３）
実施例２３は、単一極性の電極（＋電極または−電極）と、電極と逆極性の空間イオン発生装置を用いた他の実施例のメンテナンスフリー光学レンズ装置（浮遊物捕捉装置）に関するものである。図２３は単一極性の電極（＋電極または−電極）と、電極と逆極性の空間イオン発生装置を用いた他の実施例のメンテナンスフリー光学レンズ装置を説明するための図であり、図２３ａは正面図であり、図２３ｂは側面図である。
【００５８】
図２３に示すように、イオン空間９２内の防塵空間９４の内部に鏡筒９６に収容された光学レンズ８６を配置する。この結果、実施例２１で説明したと同様の理由で、レンズには埃が付着しない。
【００５９】
この実施例では、電源２０から給電される−電極１０ｂと空間イオン発生装置９０から発生される＋イオン２８ａが用いられている。外部から侵入する埃は浮遊する＋イオン２８ａに触れて＋帯電し、−極性の電極１０ｂに吸引され捕捉される。内部にある光学レンズ８６には埃が到達できないため、埃は付かない。
（実施例２４）
実施例２４は、単一極性の電極（＋電極または−電極）と、電極と同一極性の空間イオン発生装置を用いた他の実施例の防塵空間装置（浮遊物反発装置）に関するものである。図２４は実施例２４の単一極性の電極（＋電極または−電極）と、電極と同一極性のイオン発生装置を用いた防塵空間装置を説明するための図である。
【００６０】
図２４に示すように、防塵空間装置は、＋電圧を印加した電極１０ａに囲まれた防塵空間９４と、防塵空間９４の周囲に電極と同極性の＋イオン２８ａを発生させて浮遊させるイオン発生装置９０とから成る。外部から侵入してきた埃１２は浮遊している＋イオン２８ａと触れて＋に帯電した＋帯電埃１２ａになる。＋帯電埃１２ａが＋電極１０ａに近づくと＋同士で反発しあうので、埃が飛ばされ内部に侵入できない。このようにして埃のない防塵空間９４が形成される。
（実施例２５）
実施例２５は、単一極性の電極（＋電極または−電極）と、電極と同一極性の空間イオン発生装置を用いた他の実施例のメンテナンスフリー光学レンズ装置（浮遊物反発装置）に関するものである。図２５は単一極性の電極（＋電極または−電極）と、電極と同一極性の空間イオン発生装置を用いた他の実施例のメンテナンスフリー光学レンズ装置を説明するための図であり、図２５ａはその正面図であり、図２５ｂはそのＡ−Ａ断面図である。
【００６１】
図２５に示すように、光学レンズ装置は、＋電圧を印加した電極１０ａに囲まれた防塵空間と、防塵空間の周囲に電極と同極性の＋イオン２８ａを発生させて浮遊させるイオン発生装置９０と、防塵空間内に配置されたレンズ８６と、鏡筒９６から成る。外部から侵入した埃１２は＋イオンと触れ、＋イオンと同極性に帯電する埃１２ａとなる。一方、レンズ８６を囲む電極１０ａからはレンズ８６に向かってわずかながら漏電が起きる。したがって、レンズ８６は電極１０ａと同極性に帯電しやすい。＋帯電埃１２ａは電極１０ａと同極性なので、電極１０ａに反発され内部の光学レンズ８６に付着できない。この実施例では電極１０ａは光学レンズ８６の周囲に巻かれるように構成されている。
（実施例２６）
実施例２６は空間イオン発生装置を用いたメンテナンスフリー光学レンズ装置（浮遊物反発装置）に関するものである。図２６は空間イオン発生装置を用いたメンテナンスフリー光学レンズ装置を説明するための図であり、図２６ａはその正面図であり、図２６ｂはその側面図である。
【００６２】
防塵対象物であるレンズ８６は空間イオン発生装置９０から発生される単一極性のイオン空間９２の内部に絶縁体（図示せず）によって電気的に浮いている状態で配置される。レンズ８６は周囲の＋イオン２８ａによりその極性に帯電する。一方、浮遊する埃１２や外部から侵入する埃１２も＋イオン２８ａにより同極性に帯電する。両者が同極性に帯電するので、反発して埃が付着しない。
（実施例２７）
実施例２７は無帯電電極（接地電極）と、空間イオン発生装置を用いたメンテナンスフリー光学レンズ装置（浮遊物反発装置）に関するものである。図２７は無帯電電極と、空間イオン発生装置を用いたメンテナンスフリー光学レンズ装置を説明するための図であり、図２７ａはその正面図であり、図２７ｂはその側面図である。
【００６３】
単一極性のイオン（この実施例では＋イオン２８ａ）を発生する空間イオン発生装置９０によって形成されたイオン空間９２の内部に防塵対象物であるレンズ８６の周囲に接地ざれた電極１０ｃを配置する。＋イオン２８ａは接地電極に吸引されて周囲に集まってくるので、レンズ８６の周辺の＋イオン２８ａを濃くすることができ、接近して来る埃１２を確実に帯電し、反発させることができる。
（実施例２８）
実施例２８は放電電極の極性を交互に切替える空間イオン発生装置を用いた浮遊物捕捉装置に関するものである。図２８は放電電極の極性を交互に切替える空間イオン発生装置を用いた浮遊物捕捉装置を説明するための図である。図２８において、イオン空間９２を発生している空間イオン発生装置９０の放電電極９１の極性をゆっくりと＋、−交互に切替える。なお、イオンが周囲に行き渡るために切替周期は数秒から数十秒が適切である。
＋イオン放射時には埃が＋に帯電させられ、−電極１０ｂに吸引される。−イオン放射時には埃が−に帯電させられ、＋電極１０ａに吸引される。空間に浮かぶイオンは＋と−に切り替わるので、周囲の物体が帯電されることはない。
（実施例２９）
実施例２９は、次の実施例３０を含めて、電極の捕捉効果を高めたり、他の機能を付加するために電極へ種々の被覆を施した浮遊物捕捉装置に関するものである。図２９は電極の捕捉効果を高めたり、他の機能を付加するために電極へ種々の被覆を施した浮遊物捕捉装置を説明するための断面図であり、被覆するものとして、（ａ）絶縁体、（ｂ）粘着剤、（ｃ）絶縁体の第１層および粘着剤の第２層の組み合わせ、（ｄ）絶縁体の第１層、粘着剤の第２層および滅菌剤の第３層の組み合わせ、（ｅ）絶縁体の第１層および滅菌剤入りの粘着剤の第２層の組み合わせ、（ｆ）高抵抗体、（ｇ）導電性粘着剤、（ｈ）光触媒剤を示す。
【００６４】
図２９ａに示すように、電極１０には絶縁体１００ａの被覆が設けられている。これにより感電事故が防止できる。
【００６５】
図２９ｂに示すように、電極１０に被覆として粘着剤１００ｂが塗付されている。これにより電極１０で電気的に埃を吸着することに加えて粘着剤１００ｂで吸着するので、一旦捕捉した埃が剥離することなく捕捉効率を上げることができる。
【００６６】
図２９ｃに示すように、電極１０に第１層として絶縁体１００ａが被覆され、その上に第２層として粘着剤１００ｂが塗付されている。これにより捕捉効率を上げることができる。
【００６７】
図２９ｄに示すように、電極１０に第１層として絶縁体１００ａが被覆され、その上に第２層として粘着剤１００ｂが塗付され、さらにその上に第３層として滅菌剤１００ｃが塗付されている。この実施例の使用例としては、病院への導入がある。埃にウイルスが付着することが多い病院でこの装置を使用すれば、空気中に浮遊するウイルスを捕捉し、滅菌できる。特に、感染性の強いＳＡＲＳの対策に対しては有効である。
【００６８】
図２９ｅに示すように、電極１０に第１層として絶縁体１００ａが被覆され、その上に第２層として滅菌剤入り粘着剤１００ｄが塗付されている。これにより、空気中に浮遊するウイルスを捕捉し、滅菌できる。
【００６９】
図２９ｆの拡大断面図に示すように、例えば、−電極１０ｂに導電性であるが高抵抗である高抵抗体１００ｅが被覆されている。これにより感電事故を防止する。また、例えば、塗料ミスト等の＋帯電埃１２ａが−電極１０ｂの被覆の高抵抗体１００ｅ吸着したとき、右図のジグザグの矢印で示すようにその電荷が高抵抗体（導電性被覆）１００ｅを通して−電極１０ｂに放電し消滅するので、次に飛んでくる塗料ミストが反発されることなく電極に吸着されやすい。たとえ、塗料ミストが積み重なったとしても、放電により吸着力が減衰することはない。
【００７０】
図２９ｇに示すように、電極１０に被覆として高抵抗の導電性粘着剤１００ｆが塗布されている。これにより前述と同様に、感電事故を防ぎ、吸着力を減衰させることなく、さらに、吸着効率を高める。
【００７１】
図２９ｈに示すように、電極１０に被覆として光触媒剤１００ｇが塗付されている。これにより、光触媒は光が当たると付着している有機物を分解する作用があるので、捕捉された埃は分解され、埃が有機物であるときには気体となって消失する。この結果、掃除の頻度を下げることができる。
（実施例３０）
実施例３０は捕捉した埃を除去、回収する浮遊物捕捉装置に関するものである。図３０は捕捉した埃を除去、回収する浮遊物捕捉装置を説明するための図であり、図３０ａは電極に埃を捕捉した状態を示し、図３０ｂは電極から埃を除去して回収する状態を示す図である。図３０ａに示すように、例えば、電極には＋の電圧が印加されていて、電極は＋に帯電した＋電極１０ａとなっており、このとき＋電極１０ａは−帯電埃１２ｂを捕捉している。次に、除去、回収の時期に至ったとき、図３０ｂに示すように、電極に印加する電圧を逆にし、すなわち、−の電圧を印加して−電極１０ｂとして、−帯電埃１２ｂを反発し、電極から剥がすことにより、除去、回収する。
（その他の実施例）
実施例７〜実施例１９の使用例（応用例）の説明では、実施例１〜６の内の任意の適切な好ましい実施例を例に挙げているが、本発明はこの例に限定されるものではなく、説明が省略されている他の実施例も適用できるものである。また、防塵対象物の説明としては、作業場（クリーンルーム）、塗装されるワーク、金型、保管物、クリーンベンチ、エアシャワー、パスボックス、双方向性フィルタ、レンズ等を挙げているが、本発明は、これらの例に限定されるものではなく、防塵が必要な任意の適当な対象物に適用できるものである。
【図面の簡単な説明】
【００７２】
【図１】実施例１の基本的な構成の浮遊物捕捉装置を示す図であり、図１ａは埃を捕捉する前の状態を示し、図１ｂは埃を捕捉する過程を示す。
【図２】実施例２の浮遊物捕捉装置を示す図であり、図２ａはその正面図であり、図２ｂはその側面図である。
【図３】実施例３の浮遊物捕捉装置を示す図であり、図３ａはその正面図であり、図３ｂはその側面図である。
【図４】実施例４の浮遊物捕捉装置を示す斜視図である。
【図５】実施例４の浮遊物捕捉装置を示す図であり、図５ａはその正面図であり、図５ｂはその側面図であり、図５ｃはその平面図である。
【図６】実施例５の浮遊物捕捉装置を示す図であり、図６ａはその正面図であり、図６ｂはその側面図であり、図６ｃは図６ａのＡ−Ａ断面図である。
【図７】実施例６の浮遊物捕捉装置を示す図であり、図７ａはその平面図であり、図７ｂはその正面図であり、図７ｃはその側面図であり、図７ｄは図７ｂのＡ−Ａ断面図である。
【図８】実施例５、実施例６の浮遊物捕捉装置の使用例を説明するための図であり、図８ａは第１の使用例の平面図であり、図８ｂは第２の使用例の斜視図である。
【図９】実施例１、実施例２のプロトタイプ、捕塵ネットを用いた塗料ミスト捕捉装置（浮遊物捕捉装置）の使用例を説明するための図であり、図９ａは本発明の塗料ミスト捕捉装置を説明するための図であり、図９ｂは本発明の塗料ミスト捕捉装置を設けない従来例の問題を説明するための図である。
【図１０】実施例１、実施例２のプロトタイプ、捕塵ネットを用いた金型用防塵装置（浮遊物捕捉装置）を説明するための図であり、図１０ａは、本発明の金型用防塵装置の斜視図であり、図１０ｂは本発明の金型用防塵装置の断面図であり、図１０ｃは本発明の金型用防塵装置を設けない場合の従来例の問題を説明するための断面図であり、図１０ｄは本発明の金型用防塵装置を設けない場合の従来例の問題を説明するための断面図である。
【図１１】実施例５、実施例６の板、シート（フィルム）から成る浮遊物捕捉装置を用いた保管箱（クリーンボックス）を説明するための図であり、図１１ａは平面図であり，図１１ｂは正面図であり、図１１ｃは側面図であり、図１１ｄは図１１ｃの線Ａ−Ａにおける断面図である。
【図１２】実施例１１の浮遊物捕捉システムを示す概略図である。
【図１３】実施例１２の浮遊物捕捉システムを示す概略図である。
【図１４】実施例１３の浮遊物捕捉システムを示す概略図である。
【図１５】実施例１４の浮遊物捕捉システムを示す概略図である。
【図１６】実施例１、実施例２、実施例３のプロトタイプ、捕塵ネット、捕塵スダレを用いた浮遊物捕捉システム（壁のないクリーンルーム）の概略図を示す。
【図１７】実施例１７の浮遊物捕捉システムを説明するための図であり、図１７ａは実施例の双方向性フィルタの断面図であり、図１７ｂは従来例の物理的フィルタの断面図であり、図１７ｃは従来例の物理的フィルタの断面図である。
【図１８】実施例１８をエアコンに応用した浮遊物捕捉装置を説明するための図である。
【図１９】実施例１９の浮遊物捕捉システムの概略斜視図である。
【図２０】実施例２０のメンテナンスフリー光学レンズ装置の斜視図である。
【図２１】実施例２１の単一極性の電極（＋電極または−電極）と電極と逆極性のイオン発生装置を用いた基本構成の（プロトタイプの）浮遊物捕捉装置を説明するための図である。
【図２２】実施例２２の単一極性の電極（＋電極または−電極）と、電極と逆極性のイオン発生装置を用いた防塵空間装置を説明するための図である。
【図２３】図２３は単一極性の電極（＋電極または−電極）と、電極と逆極性の空間イオン発生装置を用いた他の実施例のメンテナンスフリー光学レンズ装置を説明するための図であり、図２３ａは正面図であり、図２３ｂは側面図である。
【図２４】実施例２３の単一極性の電極（＋電極または−電極）と、電極と同一極性のイオン発生装置を用いた防塵空間装置を説明するための図である。
【図２５】単一極性の電極（＋電極または−電極）と、電極と同一極性の空間イオン発生装置を用いた他の実施例のメンテナンスフリー光学レンズ装置を説明するための図であり、図２５ａはその正面図であり、図２５ｂは線Ａ−Ａ断面図である。
【図２６】空間イオン発生装置を用いたメンテナンスフリー光学レンズ装置を説明するための図であり、図２６ａはその正面図であり、図２６ｂはその側面図である。
【図２７】無帯電電極と、空間イオン発生装置を用いたメンテナンスフリー光学レンズ装置を説明するための図であり、図２７ａはその正面図であり、図２７ｂはその側面図である。
【図２８】放電電極の極性を交互に切替える空間イオン発生装置を用いた浮遊物捕捉装置を説明するための図である。
【図２９】電極の捕捉効果を高めたり、他の機能を付加するために電極へ種々の被覆を施した浮遊物捕捉装置を説明するための断面図であり、被覆するものとして、（ａ）絶縁体、（ｂ）粘着剤、（ｃ）絶縁体の第１層および粘着剤の第２層の組み合わせ、（ｄ）絶縁体の第１層、粘着剤の第２層および滅菌剤の第３層の組み合わせ、（ｅ）絶縁体の第１層および滅菌剤入りの粘着剤の第２層の組み合わせ、（ｆ）高抵抗体（ｇ）導電性粘着剤、（ｈ）光触媒剤を示す。
【図３０】捕捉した埃を除去、回収する浮遊物捕捉装置を説明するための図であり、図３０ａは電極に埃を捕捉した状態を示し、図３０ｂは電極から埃を除去して回収する状態を示す図である。
【図３１】従来例のＦＡＮで風を送り電界で集塵する方式を示す概略図である。
【図３２】従来例のＦＡＮで風を送り電界をかけたフィルター（繊維）で濾過する方式を示す概略図である。
【図３３】従来例のＦＡＮで風を送り、埃等の浮遊物をイオンで帯電させ電極で捕捉する方式を示す概略図である。
【符号の説明】
【００７３】
１    浮遊物捕捉装置（集塵装置）
５    浮遊物捕捉システム
８    ハウジング
１０    電極
１０ａ  ＋電極
１０ｂ  −電極
１０ｃ  接地電極
１２    埃
１２ａ  ＋帯電埃
１２ｂ  −帯電埃
１２ｃ  無帯電埃
１４    電気力線
１６    埃の移動方向
１８    風（エアブロー）の方向
２０    電源
２２    ファン（ＦＡＮ）
２４    フィルタ（繊維）
２８    イオン
２８ａ  ＋イオン
２８ｂ  −イオン
３０    給電部
３２    横糸（絶縁体）
３４    スペーサ
３６    錘
３８    枠
４０    スタンド
４２    板
４４    シート（フィルム）
４６    作業場
４８    衝立
５０    塗装用スプレーガン
５２    ワーク
５４    塗料粒子
５６    塗料ミスト
５８    金型
６０    金型
６２    マシン
６４    保管箱（クリーンボックス）
６６    保管物
６８    クリーンベンチ
７０    部材
７２    エアシャワー
７４    ファン
７６    フィルタ
７８    パスボックス
８０    クリーンルーム
８２    双方向性フィルタ
８４    風洞
８６    レンズ
８８    電極保持具
９０    空間イオン発生装置
９２    イオン空間
９４    防塵空間
９６    鏡筒
１００ａ  絶縁体
１００ｂ  粘着剤
１００ｃ  滅菌剤
１００ｄ  滅菌剤入り粘着剤
１００ｅ  高抵抗体
１００ｆ  導電性粘着剤
１００ｇ  光触媒剤
１０２    エアコン
【図１】
2008018340.tif 000003
【図２】
2008018340.tif 000004
【図３】
2008018340.tif 000005
【図４】
2008018340.tif 000006
【図５】
2008018340.tif 000007
【図６】
2008018340.tif 000008
【図７】
2008018340.tif 000009
【図８】
2008018340.tif 000010
【図９】
2008018340.tif 000011
【図１０】
2008018340.tif 000012
【図１１】
2008018340.tif 000013
【図１２】
2008018340.tif 000014
【図１３】
2008018340.tif 000015
【図１４】
2008018340.tif 000016
【図１５】
2008018340.tif 000017
【図１６】
2008018340.tif 000018
【図１７】
2008018340.tif 000019
【図１８】
2008018340.tif 000020
【図１９】
2008018340.tif 000021
【図２０】
2008018340.tif 000022
【図２１】
2008018340.tif 000023
【図２２】
2008018340.tif 000024
【図２３】
2008018340.tif 000025
【図２４】
2008018340.tif 000026
【図２５】
2008018340.tif 000027
【図２６】
2008018340.tif 000028
【図２７】
2008018340.tif 000029
【図２８】
2008018340.tif 000030
【図２９】
2008018340.tif 000031
【図３０】
2008018340.tif 000032
【図３１】
2008018340.tif 000033
【図３２】
2008018340.tif 000034
【図３３】
2008018340.tif 000035